(57)【要約】【課題】複数の圧縮端子と機器側端子との接続が可能な端子アダプタを提供する。【解決手段】電線に接続された圧縮端子２０１と機器側端子２１１とを接続する端子アダプタ１０であって、圧縮端子２０１の取付孔及び機器側端子２１１の取付孔に対応する圧縮端子用取付孔１２、２２及び機器側端子用取付孔１３、２３が穿設された一対の細長い板状の端子アダプタピース１１、２１からなり、前記一対の端子アダプタピース１１、２１の配置を変更することで圧縮端子用取付孔及び機器側端子用取付孔の間隔を変更し、複数の圧縮端子２０１と機器側端子２１１との接続を可能とする。【選択図】図１
2013222669.tif 000002
【特許請求の範囲】
【請求項１】
電線に接続された圧縮端子と機器側端子とを接続する端子アダプタであって、
圧縮端子の取付孔及び機器側端子の取付孔に対応する圧縮端子用取付孔及び機器側端子用取付孔が穿設された一対の細長い板状の端子アダプタピースからなり、
前記一対の端子アダプタピースの配置を変更することで圧縮端子用取付孔及び機器側端子用取付孔の間隔を変更可能なことを特徴とする端子アダプタ。
【請求項２】
前記端子アダプタピースに穿設される圧縮端子用取付孔及び機器側端子用取付孔のうち少なくとも一方は、端子アダプタピースの短手方向から見て中心からずれた位置に穿設されていることを特徴とする請求項１に記載の端子アダプタ。
【請求項３】
前記一対の端子アダプタピースの配置には、一方の端子アダプタピースの表面と他方の端子アダプタピースの裏面とを組合せる配置も含み、圧縮端子と機器側端子の４種の組合せに対応した接続を可能にすることを特徴とする請求項１又は２に記載の端子アダプタ。
【請求項４】
電線に接続された圧縮端子と機器側端子とを角度を有して接続する端子アダプタであって、
一方の端子アダプタピースＡは、長手方向から見て中央部、両側部の３か所に圧縮端子用取付孔又は機器側端子用取付孔が穿設され、両側部が所定の角度に折り曲げられており、
他方の端子アダプタピースＢは、長手方向中心を起点に半分が前記端子アダプタピースＡの側部と同一の角度で折り曲げられており、
前記端子アダプタピースＡは、前記端子アダプタピースＢに比較して、一方の側部分だけ長いことを特徴とする請求項１から３のいずれか１に記載の端子アダプタ。
【発明の詳細な説明】
【技術分野】
【０００１】
本発明は、電線に接続された圧縮端子と機器側端子とを接続するとき使用する端子アダプタに関する。
【背景技術】
【０００２】
圧縮端子は、電線と機器との接続に使用される。圧縮端子を使用して電線と機器とを接続するときは、電線側に圧縮端子を接続し、この圧縮端子を機器側端子に接続する。このとき圧縮端子と機器側端子とを端子アダプタを介して接続する場合がある。
【０００３】
図１４は、圧縮端子２０１、端子アダプタ２２１及び機器側端子２１１を並べた状態の正面図である。圧縮端子２０１は、電線（図示省略）を挿入し圧縮接続する圧縮部２０２と、端子アダプタ２２１に接続する板状の羽子板部２０３を有し、羽子板部２０３には、取付孔２０４が設けられている。圧縮部２０２に電線を挿入した後、圧縮部２０２を圧縮することで電線と圧縮端子２０１とを固定する。機器側端子２１１は、矩形の平板部２１３を有し、平板部２１３には、取付孔２１４が設けられている。端子アダプタ２２１は、矩形の平板部２２２を有し、圧縮端子２０１の取付孔２０４に対応するように圧縮端子用取付孔２２３が、機器側端子２１１の取付孔２１４に対応するように機器側端子用取付孔２２４が設けられている。
【０００４】
端子アダプタ２２１を介して圧縮端子２０１と機器側端子２１１とを接続する場合には、圧縮端子２０１の取付孔２０４と端子アダプタ２２１の圧縮端子用取付孔２２３とが一致するように、圧縮端子２０１と端子アダプタ２２１とを重ね合せ、取付孔にボルトを挿入しナットで固定する。機器側端子２１１と端子アダプタ２２１との接続も同じ要領で行う。端子アダプタ２２１を介在させることで、圧縮端子２０１の取付孔２０４と機器側端子２１１の取付孔２１４とのピッチ（寸法）、個数が異なっていても簡単に、圧縮端子２０１と機器側端子２１１とを接続することができる。
【０００５】
圧縮端子２０１の取付孔２０４と機器側端子２１１の取付孔２１４とのピッチ、個数が同一であれば、圧縮端子２０１と機器側端子２１１とを重ね合わせ、直接、接続することもできるが、そのような場合であっても端子アダプタ２２１を介して接続される場合もある。
【０００６】
端子アダプタの多くは、図１４に示すように圧縮端子と機器側端子とを直線的に接続するが、圧縮端子と機器側端子との取付け角度を変更するための端子アダプタ（接続アダプタ）も開発されている（例えば特許文献１参照）。
【先行技術文献】
【特許文献】
【０００７】
【特許文献１】特開２００９−２０００１７号公報
【発明の概要】
【発明が解決しようとする課題】
【０００８】
圧縮端子と機器側端子とを端子アダプタを介して接続するには、圧縮端子及び機器側端子に適合した端子アダプタを用いる必要がある。このため電線張替え、機器取替えにより電線側圧縮端子、又は機器側端子が変更となった場合、従来使用していた端子アダプタは使用することが出来ず、新たな端子アダプタを準備する必要がある。このため電力所等では事故時にも対応できるように、電線側圧縮端子又は機器側端子の形状、寸法に対応した複数種の端子アダプタを事前に用意しておく必要がある。
【０００９】
また従来の端子アダプタは、電線側圧縮端子及び／又は機器側端子が変更となるとそれまで使用していた端子アダプタが無駄になる。さらに新たな電線側圧縮端子及び／又は機器側端子に対応する端子アダプタを選定するためには、電線側圧縮端子及び／又は機器側端子の形状、寸法の確認作業が必要となり、時間がかかると共に場合によっては停電させる必要も生じるなどの問題があった。
【００１０】
本発明の目的は、複数の圧縮端子と機器側端子との接続が可能な端子アダプタを提供することである。
【課題を解決するための手段】
【００１１】
本発明は、電線に接続された圧縮端子と機器側端子とを接続する端子アダプタであって、圧縮端子の取付孔及び機器側端子の取付孔に対応する圧縮端子用取付孔及び機器側端子用取付孔が穿設された一対の細長い板状の端子アダプタピースからなり、前記一対の端子アダプタピースの配置を変更することで圧縮端子用取付孔及び機器側端子用取付孔の間隔を変更可能なことを特徴とする端子アダプタである。
【００１２】
また本発明の端子アダプタにおいて、前記端子アダプタピースに穿設される圧縮端子用取付孔及び機器側端子用取付孔のうち少なくとも一方は、端子アダプタピースの短手方向から見て中心からずれた位置に穿設されていることを特徴とする。
【００１３】
また本発明の端子アダプタにおいて、前記一対の端子アダプタピースの配置には、一方の端子アダプタピースの表面と他方の端子アダプタピースの裏面とを組合せる配置も含み、圧縮端子と機器側端子の４種の組合せに対応した接続を可能にすることを特徴とする。
【００１４】
また本発明の端子アダプタは、電線に接続された圧縮端子と機器側端子とを角度を有して接続する端子アダプタであって、一方の端子アダプタピースＡは、長手方向から見て中央部、両側部の３か所に圧縮端子用取付孔又は機器側端子用取付孔が穿設され、両側部が所定の角度に折り曲げられており、他方の端子アダプタピースＢは、長手方向中心を起点に半分が前記端子アダプタピースＡの側部と同一の角度で折り曲げられており、前記端子アダプタピースＡは、前記端子アダプタピースＢに比較して、一方の側部分だけ長いことを特徴とする。
【発明の効果】
【００１５】
本発明の端子アダプタは、配置を変更することで圧縮端子用取付孔及び機器側端子用取付孔の間隔を変更可能な一対の端子アダプタピースからなるので、一対の端子アダプタピースの配置を変更するだけで複数の圧縮端子と機器側端子との接続を可能とする。このとき圧縮端子と機器側端子とを直線のみならず取付け角度を有した状態で接続することができる。
【図面の簡単な説明】
【００１６】
【図１】本発明の第１実施形態の端子アダプタ１０に圧縮端子２０１及び機器側端子２１１を接続する状態を示す正面図及び切断線１−Ｉで切断した断面図である。
【図２】図１の端子アダプタ１０を構成する端子アダプタピース１１の正面図及び切断線ＩＩ−ＩＩで切断した断面図、端子アダプタピース２１の正面図及び切断線ＩＩＩ−１ＩＩで切断した断面図である。
【図３】図１の端子アダプタ１０を構成する、５０ｍｍ、４０ｍｍの圧縮端子２０１及び５０ｍｍ、４０ｍｍの機器側端子２１１を接続する端子アダプタピース１１及び端子アダプタピース２１の正面図及び断面図である。
【図４】図３の端子アダプタ１０を使用して、圧縮端子２０１と機器側端子２１１とを接続するときの端子アダプタ１０の配置を示す図である。
【図５】本発明の第２実施形態の端子アダプタ３０に圧縮端子２０１及び機器側端子２１１を接続する状態を示す正面図及び切断線ＩＶ−ＩＶで切断した断面図である。
【図６】図５の端子アダプタ３０を構成する端子アダプタピース３１の（Ａ）正面図、（Ｂ）底面図、（Ｃ）平面図、（Ｄ）、（Ｅ）側面図及び端子アダプタピース５１の（Ａ）正面図、（Ｂ）底面図、（Ｃ）平面図、（Ｄ）、（Ｅ）側面図である。
【図７】図５の端子アダプタ３０を構成する、５０ｍｍ、４０ｍｍの圧縮端子２０１及び５０ｍｍ、４０ｍｍの機器側端子２１１を接続する端子アダプタピース３１の（Ａ）正面図、（Ｂ）底面図、（Ｃ）平面図、（Ｄ）、（Ｅ）側面図及び端子アダプタピース５１の（Ａ）正面図、（Ｂ）底面図、（Ｃ）平面図、（Ｄ）、（Ｅ）側面図である。
【図８】図７の端子アダプタ３０を使用して、圧縮端子２０１と機器側端子２１１とを接続するときの端子アダプタ３０の配置を示す図である。
【図９】本発明の第３実施形態の端子アダプタ７０に圧縮端子２０１及び機器側端子２１１を接続する状態を示す（Ａ）平面図及び（Ｂ）正面図である。
【図１０】図９の端子アダプタ７０を構成する端子アダプタピース７１の（Ａ）平面断面図、（Ｂ）正面展開図、及び端子アダプタピース９１の（Ｃ）平面断面図、（Ｄ）正面展開図である。
【図１１】図９の端子アダプタ７０を構成する、５０ｍｍ、４０ｍｍの圧縮端子２０１及び５０ｍｍ、４０ｍｍの機器側端子２１１を接続する端子アダプタピース７１の（Ａ）平面断面図、（Ｂ）正面展開図及び端子アダプタピース９１の（Ｃ）平面断面図、（Ｄ）正面展開図である。
【図１２】図１１の端子アダプタ７０を使用して圧縮端子２０１と機器側端子２１１とを接続するときの端子アダプタ７０の配置を示す正面展開図である。
【図１３】図１１の端子アダプタ７０を使用して圧縮端子２０１と機器側端子２１１とを接続するときの端子アダプタ７０の配置を示す正面展開図である。
【図１４】従来の端子アダプタ２２１、圧縮端子２０１及び機器側端子２１１を並べた状態の正面図である。
【発明を実施するための形態】
【００１７】
図１は、本発明の第１実施形態の端子アダプタ１０に圧縮端子２０１及び機器側端子２１１を接続する状態を示す（Ａ）正面図及び切断線Ｉ−Ｉで切断した（Ｂ）断面図である。図２は、端子アダプタ１０を構成する端子アダプタピース１１の（Ａ）正面図及び切断線ＩＩ−ＩＩで切断した（Ｂ）断面図、端子アダプタピース２１の（Ｃ）正面図及び切断線ＩＩＩ−１ＩＩで切断した（Ｄ）断面図である。
【００１８】
端子アダプタ１０は、端子アダプタピース１１と端子アダプタピース２１とからなる。使用するときは、図１に示すように端子アダプタピース１１の長手方向の側面１４（１５）と端子アダプタピース２１の長手方向の側面２４（２５）とを接触するように突き合わせた状態で使用する。
【００１９】
端子アダプタピース１１は、細長く厚さが薄い直方体形状の導電性の金属材からなり、長手方向の中心を基点にして左右に圧縮端子２０１及び機器側端子２１１を取付けるための取付孔１２、１３が穿設されている。取付孔１２、１３は、いずれも圧縮端子２０１及び機器側端子２１１を取付けるための共用の取付孔である。
【００２０】
端子アダプタ１０は、端子アダプタピース１１の長手方向の側面１４（１５）と端子アダプタピース２１の長手方向の側面２４（２５）とを突き合わせた状態で使用するため、端子アダプタピース１１の幅（短手方向の長さ）は、端子アダプタピース１１の取付孔１２、１３と端子アダプタピース２１の取付孔２２、２３との距離を決める重要な要素となる。ここでは、端子アダプタピース１１の側面１４（１５）と端子アダプタピース２１の側面２４（２５）とを突き合わせたとき、２つの端子アダプタピース１１、２１の取付孔１２（１３）、２２（２３）の間隔が、圧縮端子２０１の取付孔２０４の上下の間隔及び機器側端子２１１の取付孔２１４の上下の間隔と一致するように決められている。端子アダプタピース２１の幅も同様である。
【００２１】
端子アダプタピース１１の長さは、取付孔１２、１３を設けることができればよく、特定の長さに限定されるものではない。端子アダプタピース１１の厚さも特定の厚さに限定されるものでない。端子アダプタピース２１の長さ、厚さも同様である。
【００２２】
取付孔１２は、３個の取付孔１２ａ、１２ｂ、１２ｃを有し、３個の取付孔１２ａ、１２ｂ、１２ｃは、長手方向の側面１４、１５に平行に一直線上に設けられている。３個の取付孔１２ａ、１２ｂ、１２ｃの間隔は、圧縮端子２０１の取付孔２０４及び機器側端子２１１の取付孔２１４の間隔と一致するように設けられている。
【００２３】
取付孔１２ａと取付孔１２ｃとは、向きが逆であるが、同じ形状、同じ大きさの変形長穴からなり、取付孔１２ｂは、円である。変形長穴である取付孔１２ａ、１２ｃは、間隔及び大きさの異なる、取付孔２０４を備える圧縮端子２０１及び取付孔２１４を備える機器側端子２１１を接続するために設けられたものであり、間隔及び大きさの異なる２つの取付孔を所定の位置に穿設し、この２つの取付孔をスムーズにつなげたものである。
【００２４】
取付孔１３も、３個の取付孔１３ａ、１３ｂ、１３ｃを有し、３個の取付孔１３ａ、１３ｂ、１３ｃは、取付孔１２ａ、１２ｂ、１２ｃと同じ要領で設けられている。取付孔１２ａが取付孔１３ａに重なり合うように、取付孔１２を取付孔１３側にスライドさせると、３個の取付孔１２ａ、１２ｂ、１２ｃと取付孔１３ａ、１３ｂ、１３ｃとはぴったりと重なり合う。
【００２５】
以上のように取付孔１２と取付孔１３とは、基本的に同じ要領で穿設されているが、側面１４、１５からの距離が異なる。取付孔１２は、側面１４からの距離が、側面１５からの距離に比較して長く、短手方向から見ると取付孔１２は偏心して設けられている。一方、取付孔１３は、短手方向から見て中心に設けられている。よって、取付孔１３の側面１４からの距離と側面１５からの距離とは等しい。
【００２６】
取付孔１２及び取付孔１３の側面１４、１５からの距離は、端子アダプタピース１１の側面１４（１５）と端子アダプタピース２１の側面２４（２５）とを突き合わせたとき、２つの端子アダプタピース１１、２１の取付孔１２（１３）、２２（２３）の間隔が、圧縮端子２０１の取付孔２０４の上下の間隔及び機器側端子２１１の取付孔２１４の上下の間隔と一致するように決められている。
【００２７】
端子アダプタピース２１は、端子アダプタピース１１と基本的構成が同じであるが、端子アダプタピース１１に比較して幅が広い。取付孔２２は、取付孔１２と同じ大きさ及び形状であり、取付孔１２ａ、１２ｂ、１２ｃと同じ間隔で設けられている。同様に、取付孔２３は、取付孔１３と同じ大きさ及び形状であり、取付孔１３ａ、１３ｂ、１３ｃと同じ間隔で設けられている。取付孔２２は、短手方向から見て中心に設けられており、取付孔２３は、短手方向から見て側面２４からの距離が短くなっている。
【００２８】
以下、理解を容易にするために５０ｍｍ、４０ｍｍの圧縮端子２０１及び５０ｍｍ、４０ｍｍの機器側端子２１１を接続する端子アダプタ１０を例として、端子アダプタ１０の寸法及び接続要領を示す。なお、ここに示す寸法は一例であり、本発明の端子アダプタ１０は、この寸法に限定されるものではない。
【００２９】
図３に示す端子アダプタ１０は、５０ｍｍ、４０ｍｍの圧縮端子２０１及び５０ｍｍ、４０ｍｍの機器側端子２１１を接続する端子アダプタ１０であり、５０ｍｍ圧縮端子−５０ｍｍ機器側端子、４０ｍｍ圧縮端子−５０ｍｍ機器側端子、５０ｍｍ圧縮端子−４０ｍｍ機器側端子、４０ｍｍ圧縮端子−４０ｍｍ機器側端子を接続することができる。
【００３０】
５０ｍｍ圧縮端子は、図１４に示すように上下の取付孔２０４の間隔及び隣合う取付孔２０４の間隔が５０ｍｍであり、上下の取付孔２０４は、羽子板部２０３の長手方向中心線を基準に等距離に穿設されている。４０ｍｍ圧縮端子は、上下の取付孔２０４の間隔及び隣合う取付孔２０４の間隔が４０ｍｍであり、上下の取付孔２０４は、羽子板部２０３の長手方向中心線を基準に等距離に穿設されている。５０ｍｍ、４０ｍｍ機器側端子２１１も、平板部２１３に対して取付孔２１４が同じ要領で設けられている。
【００３１】
５０ｍｍ圧縮端子２０１の取付孔２０４及び５０ｍｍ機器側端子２１１の取付孔２１４の直径は、１８ｍｍであり、４０ｍｍ圧縮端子２０１の取付孔２０４及び４０ｍｍ機器側端子２１１の取付孔２１４の直径は、１４ｍｍである。端子アダプタピース１１の取付孔１２、１３及び端子アダプタピース２１の取付孔２２、２３もこれに対応するように穿設されている。具体的には、取付孔１２ａ、１２ｃ、１３ａ、１３ｃ、２２ａ、２２ｃ、２３ａ、２３ｃは、直径１８ｍｍと１４ｍｍの孔を１０ｍｍの間隔を隔てて穿設し、これをスムーズにつないだものである。取付孔１２ｂ、１３ｂ、２２ｂ、２３ｂは、直径１８ｍｍである。
【００３２】
端子アダプタ１０の使用方法を図１及び図４を用いて説明する。
図１は、端子アダプタ１０に５０ｍｍ圧縮端子２０１と５０ｍｍ機器側端子２１１とを接続する状態を示す図、図４（Ａ）は、このときの端子アダプタピース１１と端子アダプタピース２１との配置を示す図である。５０ｍｍ圧縮端子２０１と５０ｍｍ機器側端子２１１とを接続するときは、端子アダプタピース１１及び端子アダプタピース２１とも表面１８、２８が表側となっており、端子アダプタピース１１の側面１４と端子アダプタピース２１の側面２５とが接するように配置されている。端子アダプタ１０と圧縮端子２０１及び機器側端子２１１との接続は、従来の端子アダプタと同様に取付孔にボルトを挿入しナットで固定する。
【００３３】
図４中（Ｂ）は、端子アダプタ１０に４０ｍｍ圧縮端子２０１と４０ｍｍ機器側端子２１１とを接続するときの端子アダプタ１０の配置、（Ｃ）は、端子アダプタ１０に４０ｍｍ圧縮端子２０１と５０ｍｍ機器側端子２１１とを接続するとき、端子アダプタ１０に４０ｍｍ機器側端子２１１と５０ｍｍ圧縮端子２０１とを接続するときの端子アダプタ１０の配置を示す図である。
【００３４】
端子アダプタ１０に４０ｍｍ圧縮端子２０１と４０ｍｍ機器側端子２１１とを接続するときは、端子アダプタピース１１及び端子アダプタピース２１とも表面１８、２８が表側となっており、端子アダプタピース１１の側面１５と端子アダプタピース２１の側面２４とが接するように配置されている。
【００３５】
端子アダプタ１０に４０ｍｍ圧縮端子２０１と５０ｍｍ機器側端子２１１とを接続するとき、端子アダプタ１０に４０ｍｍ機器側端子２１１と５０ｍｍ圧縮端子２０１とを接続するときは、端子アダプタピース１１は裏面１９が、端子アダプタピース２１は表面２８が表側となっており、端子アダプタピース１１の側面１５と端子アダプタピース１２の側面２５とが接するように配置されている。
【００３６】
図５は、本発明の第２実施形態の端子アダプタ３０に圧縮端子２０１及び機器側端子２１１を接続する状態を示す（Ａ）正面図及び切断線ＩＶ−ＩＶで切断した（Ｂ）断面図である。図６は、端子アダプタ３０を構成する端子アダプタピース３１の（Ａ）正面図、（Ｂ）底面図、（Ｃ）平面図、（Ｄ）、（Ｅ）側面図及び端子アダプタピース５１の（Ａ）正面図、（Ｂ）底面図、（Ｃ）平面図、（Ｄ）、（Ｅ）側面図である。第１実施形態の端子アダプタ１０と同一の構成には同一の符号を付して説明を省略し、以下、第１実施形態の端子アダプタ１０と相違する点を中心に説明する。
【００３７】
第２実施形態の端子アダプタ３０と第１実施形態の端子アダプタ１０とは、技術的思想及び使用方法を同じくするが、端子アダプタ、端子アダプタピースの形状が異なっている。第１実施形態の端子アダプタ１０を構成する端子アダプタピース１１、２１は、正面視において矩形形状を有しているが、端子アダプタピース３１、５１は、長手方向の一側面３５、５４に段差部４０、６０が設けられ階段状となっており、さらに反対側の側面３４、５５が傾斜面４２、６２となっている点に大きな特徴がある。
【００３８】
段差部４０、６０は、細長く厚さが薄い直方体の長手方向の側面３５、５４を、長手方向の中心４１、６１から端部４３、６３まで側面３５、５４に平行に削り落とす形で設けられている。傾斜面４２、６２は、端部から端部まで同じ傾斜となっている。傾斜面４２、６２の幅Ｌは、段差部４０、６０の高さＨと同じとなるように設けられている。端子アダプタピース３１、５１の幅、長さ及び厚さは、端子アダプタピース１１、２１の幅、長さ及び厚さと同じように考えることができる。
【００３９】
取付孔３２、３３、５２、５３の穿設要領は、基本的に第１実施形態の端子アダプタ１０と同じである。取付孔３２、５２が、短手方向から見て中心からずれており傾斜面４２、６２側に寄せて設けられている。他方の取付孔３３、５３は、短手方向から見て中心に設けられている。
【００４０】
第１実施形態の端子アダプタ１０を構成する端子アダプタピース１１、２１は、幅が異なり、結果、大きさが異なっているが、端子アダプタピース３１、５１は、傾斜面４２、６２の傾斜方向が逆となっているが、幅は同じであり、結果、大きさが同じである。
【００４１】
図７に示す端子アダプタ３０は、５０ｍｍ、４０ｍｍの圧縮端子２０１及び５０ｍｍ、４０ｍｍの機器側端子２１１を接続する端子アダプタ３０であり、５０ｍｍ圧縮端子−５０ｍｍ機器側端子、４０ｍｍ圧縮端子−５０ｍｍ機器側端子、５０ｍｍ圧縮端子−４０ｍｍ機器側端子、４０ｍｍ圧縮端子−４０ｍｍ機器側端子を接続することができる。取付孔３２、３３、５２、５３の直径は、取付孔１２、１３、２２、２３と同一であるので、説明を省略する。
【００４２】
端子アダプタ３０の使用方法を図５及び図８を用いて説明する。
図５は、端子アダプタ３０に５０ｍｍ圧縮端子２０１と５０ｍｍ機器側端子２１１とを接続する状態を示す図、図８（Ａ）は、このときの端子アダプタピース３１と端子アダプタピース５１との配置を示す図である。端子アダプタピース３１は表面３８が、端子アダプタピース５２は裏面５９が表側となっており、端子アダプタピース３１の側面３５と端子アダプタピース５１の側面５４とが接するように配置されている。このとき側面の段差が互いに逆方向となるので、隙間なく嵌り込む。
【００４３】
図８（Ｂ）は、端子アダプタ３０に４０ｍｍ圧縮端子２０１と４０ｍｍ機器側端子２１１とを接続するとき、（Ｃ）は、端子アダプタ３０に４０ｍｍ圧縮端子２０１と５０ｍｍ機器側端子２１１とを接続するとき、端子アダプタ３０に４０ｍｍ機器側端子２１１と５０ｍｍ圧縮端子２０１とを接続するときの端子アダプタピース３１と端子アダプタピース５１との配置を示す図である。
【００４４】
端子アダプタ３０に４０ｍｍ圧縮端子２０１と４０ｍｍ機器側端子２１１とを接続するときは、端子アダプタピース３０は表面３８が、端子アダプタピース５１は裏面５９が表側となっており、端子アダプタピース３１の側面３４と端子アダプタピース５１の側面５５とが接するように配置されている。このとき端子アダプタピース３１の側面３４の傾斜方向と端子アダプタピース５１の側面５５の傾斜方向とが逆であり、２つの側面３４、５５は隙間なく接触する。
【００４５】
端子アダプタ３０に４０ｍｍ圧縮端子２０１と５０ｍｍ機器側端子２１１とを接続するとき、端子アダプタ３０に４０ｍｍ機器側端子２１１と５０ｍｍ圧縮端子２０１とを接続するときは、端子アダプタピース３１及び端子アダプタピース５１とも表面３８、５８が表側となっており、端子アダプタピース３１の側面３４と端子アダプタピース５１の側面５５とが接するように配置されている。但し、端子アダプタピース３１の側面３４及び端子アダプタピース５１の側面５５は、共に傾斜面４２、６２となっているため上辺同士のみが接触している。
【００４６】
図９は、本発明の第３実施形態の端子アダプタ７０に圧縮端子２０１及び機器側端子２１１を接続する状態を示す（Ａ）平面図及び（Ｂ）正面図である。図１０は、端子アダプタ７０を構成する端子アダプタピース７１の（Ａ）平面断面図、（Ｂ）正面展開図、及び端子アダプタピース９１の（Ｃ）平面断面図、（Ｄ）正面展開図である。第１実施形態の端子アダプタ１０と同一の構成には同一の符号を付して説明を省略し、以下、第１実施形態の端子アダプタ１０と相違する点を中心に説明する。
【００４７】
第３実施形態の端子アダプタ７０は、第１実施形態の端子アダプタ１０及び第２実施形態の端子アダプタ３０と技術的思想及び使用方法を同じくするが、第１実施形態及び第２実施形態の端子アダプタ１０、３０が、圧縮端子２０１と機器側端子２１１とを同一平面内で直線的に接続するのに対して、第３実施形態の端子アダプタ７０は、圧縮端子２０１と機器側端子２１１とを平面視において角度を付けて接続する。図９及び図１０では、圧縮端子２０１と機器側端子２１１とを９０°に接続する場合を示すが、この角度は、９０°に限定されるものではなく３０°、４５°など任意の角度とすることができる。
【００４８】
また第１実施形態の端子アダプタ１０を構成する端子アダプタピース１１、２１及び第２実施形態の端子アダプタ３０を構成する端子アダプタピース３１、５１は、ほぼ同じ形状からなるが、第３実施形態の端子アダプタ７０を構成する端子アダプタピース７１、９１は形状が大きく異なる。
【００４９】
端子アダプタピース７１は、細長く厚さが薄い直方体形状の導電性の金属材からなり、平面視において、中央部８４が水平で、側部８５、８６が９０°起立したコ字状の形状を有する。中央部８４の長さと側部８５、８６の長さは略同一であり、側部８５、８６の長さは同一である。
【００５０】
ここに示す端子アダプタピース７１は、圧縮端子２０１と機器側端子２１１とを平面視において９０°に接続するため側部８５、８６が９０°起立しているが、圧縮端子２０１と機器側端子２１１とを平面視において４５°（図９中α）で接続する場合には、側部８５、８６は、中央部８４に対して４５°の角度で起立する。この角度は、任意の角度に設定することができる。
【００５１】
端子アダプタピース７１の中央部８４、両側部８５、８６には、圧縮端子２０１及び機器側端子２１１を取付けるための取付孔７２、７３、７６が穿設されている。取付孔７２、７３、７６は、いずれも圧縮端子２０１又は機器側端子２１１を取付けるための共用の取付孔である。取付孔７２、７３、７６の穿設要領は、基本的に第１実施形態の端子アダプタ１０と同じである。側部８５、８６に穿設された取付孔７３、７６が短手方向から見て中心からずれて側面７５側に寄せて設けられている。中央部８４に穿設された取付孔７２は短手方向から見て中心に設けられている。取付孔７３、７６は、同じ要領で設けられている。
【００５２】
端子アダプタピース７１と端子アダプタピース９１とを比較すると、長さは側部８６の分だけ端子アダプタピース７１が長く、幅は端子アダプタピース９１の方が広い。厚さは同一である。
【００５３】
端子アダプタピース９１も、細長く厚さが薄い直方体形状の導電性の金属材からなるが、形状が端子アダプタピース７１と大きさが異なる。端子アダプタピース９１は、長手方向の中心を起点に半分が９０°起立しており、平面視において、Ｌ字状である。水平部１０４の長さと起立部１０５の長さは略同一である。
【００５４】
端子アダプタピース９１の起立角度は、端子アダプタピース７１の側部８５、８６の起立角度と一致している。圧縮端子２０１と機器側端子２１１とを平面視において４５°（図９中α）で接続する場合には、起立部１０５は、水平部１０４に対して４５°の角度で起立する。この角度は、任意の角度に設定することができる。
【００５５】
端子アダプタピース９１は、起立部１０５を水平にし、水平部１０４と同一平面とすると、第１実施形態の端子アダプタピース２１と取付孔９２、９３の穿設要領を含め、形状も大きさも全く同一である。つまり端子アダプタピース９１は、端子アダプタピース２１を、長手方向を２分する位置を起点とし、一方を９０°起立させたものと考えることができる。
【００５６】
図１１に示す端子アダプタ７０は、５０ｍｍ、４０ｍｍの圧縮端子２０１及び５０ｍｍ、４０ｍｍの機器側端子２１１を接続する端子アダプタ７０であり、５０ｍｍ圧縮端子−５０ｍｍ機器側端子、４０ｍｍ圧縮端子−５０ｍｍ機器側端子、５０ｍｍ圧縮端子−４０ｍｍ機器側端子、４０ｍｍ圧縮端子−４０ｍｍ機器側端子を接続することができる。取付孔７２、７３、７６、９２、９３の直径は、取付孔１２、１３、２２、２３と同一であるので、説明を省略する。
【００５７】
端子アダプタ７０の使用方法を図９、図１２及び図１３を用いて説明する。
図９は、端子アダプタ９０に５０ｍｍ圧縮端子２０１と５０ｍｍ機器側端子２１１とを接続する状態を示す図、図１２（Ａ）は、このとき端子アダプタピース７１と端子アダプタピース９１との配置を示す正面展開図である。このとき、端子アダプタピース７１及び端子アダプタピース９１とも正面視において表面７８、９８が表側となっており、端子アダプタピース７１の側面７４と端子アダプタピース９１の側面９５とが接するように配置されている。端子アダプタ７０と圧縮端子２０１及び機器側端子２１１との接続は、従来の端子アダプタと同様に取付孔にボルトを挿入しナットで固定する。
【００５８】
図１２（Ｂ）は、端子アダプタ７０に４０ｍｍ圧縮端子２０１と４０ｍｍ機器側端子２１１とを接続するとき、図１３（Ａ）は、端子アダプタ７０に５０ｍｍ圧縮端子２０１と４０ｍｍ機器側端子２１１とを接続するとき、図１３（Ｂ）は、端子アダプタ７０に４０ｍｍ圧縮端子２０１と５０ｍｍ機器側端子２１１とを接続するときの端子アダプタピース７１と端子アダプタピース９１との配置を示す図である。
【００５９】
端子アダプタ７０に４０ｍｍ圧縮端子２０１と４０ｍｍ機器側端子２１１とを接続するときは、端子アダプタピース７１及び端子アダプタピース９１とも表面７８、９８が表側となっており、端子アダプタピース７１の側面７５と端子アダプタピース９１の側面９４とが接するように配置されている。
【００６０】
端子アダプタ３０に５０ｍｍ圧縮端子２０１と４０ｍｍ機器側端子２１１とを接続するときは、端子アダプタピース７１及び端子アダプタピース９１とも表面７８、９８が表側となっている。但し、５０ｍｍ圧縮端子２０１と５０ｍｍ機器側端子２１１とを接続する図１２（Ａ）と比較すると、端子アダプタピース７１が１８０°回転しており、端子アダプタピース７１の側面７４と端子アダプタピース９１の側面９４とが接するように配置されている。
【００６１】
端子アダプタ３０に４０ｍｍ圧縮端子２０１と５０ｍｍ機器側端子２１１とを接続するときは、端子アダプタピース７１及び端子アダプタピース９１とも表面７８、９８が表側となっている。但し、５０ｍｍ圧縮端子２０１と５０ｍｍ機器側端子２１１とを接続する図１２（Ａ）と比較すると、端子アダプタピース７１が１８０°回転しており、端子アダプタピース７１の側面７５と端子アダプタピース９１の側面９５とが接するように配置されている。
【００６２】
上記第１〜第３実施形態に示すように、本発明の端子アダプタは、端子アダプタを一対の端子アダプタピースで構成し、端子アダプタピースに設けられる、圧縮端子の取付孔及び機器側端子の取付孔に対応する圧縮端子用取付孔及び機器側端子用取付孔のうち少なくとも一方を、端子アダプタピースの短手方向から見て中心からずらした位置に穿設する。このような端子アダプタは、端子アダプタピース間の接触させる側面の配置、表面と裏面との配置を変更することで、端子アダプタピース間の圧縮端子用取付孔及び／又は機器側端子用取付孔の間隔を変えることが可能であり、複数の圧縮端子と機器側端子との接続を可能とする。
【００６３】
また第３実施形態の端子アダプタのように圧縮端子と機器側端子とを角度を持って接続する場合であっても、寸法の異なる圧縮端子と機器側端子との接続を可能とする。また圧縮端子と機器側端子とを接続する角度は、９０°に限定されず使い勝手がよい。
【００６４】
また本発明の端子アダプタは、一対の端子アダプタピースの側面が接触するように配置するので、端子アダプタの幅を広くすることができる。これにより従来の端子アダプタと同等の体積を確保することができる。
【００６５】
本発明の端子アダプタにおいて、端子アダプタピースの表面、裏面さらには左右に、接続可能な圧縮端子、機器側端子のサイズを表示する刻印、あるいは目印を施しておけば圧縮端子、機器側端子の接続を簡単に行うことができる。
【００６６】
なお、本発明の端子アダプタは、上記実施形態に限定されるものではなく、要旨を変更しない範囲で変更して使用することができる。
【符号の説明】
【００６７】
１０  端子アダプタ
１１  端子アダプタピース
１２、１３  取付孔
１４、１５  長手方向側面
１８  表面
１９  裏面
２１  端子アダプタピース
２２、２３  取付孔
２４、２５  長手方向側面
２８  表面
２９  裏面
３０  端子アダプタ
３１  端子アダプタピース
３２、３３  取付孔
３４、３５  長手方向側面
３８  表面
３９  裏面
４０  段差部
４２  傾斜面
５１  端子アダプタピース
５２、５３  取付孔
５４、５５  長手方向側面
５８  表面
５９  裏面
６０  段差部
６２  傾斜面
７０  端子アダプタ
７１  端子アダプタピース
７２、７３、７６  取付孔
７４、７５  長手方向側面
７８  表面
７９  裏面
８４  中央部
８５、８６  側部
９１  端子アダプタピース
９２、９３  取付孔
９４、９５  長手方向側面
９８  表面
９９  裏面
１０４  中央部
１０５  側部
２０１  圧縮端子
２０４  取付孔
２１１  機器側端子
２１４  取付孔
【図１】
2013222669.tif 000003
【図２】
2013222669.tif 000004
【図３】
2013222669.tif 000005
【図４】
2013222669.tif 000006
【図５】
2013222669.tif 000007
【図６】
2013222669.tif 000008
【図７】
2013222669.tif 000009
【図８】
2013222669.tif 000010
【図９】
2013222669.tif 000011
【図１０】
2013222669.tif 000012
【図１１】
2013222669.tif 000013
【図１２】
2013222669.tif 000014
【図１３】
2013222669.tif 000015
【図１４】
2013222669.tif 000016